(57)【要約】【課題】多数の無線ネットワーク内を動き回る移動局に関する、より良い品質の音声及びデータ・サービスを提供する。【解決手段】関連する無線リンク関係情報が、ワイヤレス端末（３０）を介して１つのタイプのネットワーク（ネットワーク２２Ｂ）から他のタイプのネットワーク（ネットワーク２２Ａ）へ、及びその逆に転送される。ワイヤレス端末３０は、１つのタイプのネットワーク（ネットワーク２２Ｂ）のリンク報告メッセージに対するメディエータ又はリレーとして動作するため、結果としてそのリンク指示は、他のタイプのネットワーク（ネットワーク２２Ａ）によるハンドオーバ決定時に使用可能である。【選択図】図１
2013514701.tif 000002
【特許請求の範囲】
【請求項１】
第１の無線アクセス技術ネットワーク及び第２の無線アクセス技術との通信が可能なワイヤレス端末（３０）を動作する方法であって、
前記ワイヤレス端末（３０）が、第２の無線アクセス技術ネットワークからリンク報告メッセージを受信することであって、前記リンク報告メッセージは前記ワイヤレス端末（３０）から前記第２の無線アクセス技術ネットワークへのアップリンク品質の指示を含む、受信すること、
前記ワイヤレス端末（３０）が、前記品質決定の指示をプロキシ・リンク報告メッセージ内に含めること、及び、前記プロキシ・リンク報告メッセージを前記第１の無線アクセス技術ネットワークのノードに送信すること、
を特徴とする、方法。
【請求項２】
前記ワイヤレス端末（３０）が、本質的にリンク報告メッセージ全体をプロキシ・リンク報告メッセージ内に含めることをさらに含む、請求項１に記載の方法。
【請求項３】
前記ワイヤレス端末（３０）が、前記アップリンク品質の指示を処理すること、及び、処理された結果を前記品質決定の指示として前記プロキシ・リンク報告メッセージ内に含めることを、さらに含む、請求項１に記載の方法。
【請求項４】
前記ワイヤレス端末（３０）が、前記第１の無線アクセス技術ネットワーク及び前記第２の無線アクセス技術ネットワークとのインタリーブされた通信を実行することをさらに含み、前記第１の無線アクセス技術ネットワーク及び前記第２の無線アクセス技術ネットワークが、それぞれGlobal System for Mobile communications（ＧＳＭ）ネットワーク及びロング・ターム・エボリューション（ＬＴＥ）ネットワークのうちの１つを含む、請求項１に記載の方法。
【請求項５】
前記ワイヤレス端末（３０）が、前記第１の無線アクセス技術ネットワークに関するダウンリンク品質決定と、前記第２の無線アクセス技術ネットワークに関するダウンリンク品質決定とを実行すること、
前記ワイヤレス端末（３０）が、前記ダウンリンク品質決定のうちの少なくとも１つの指示を、前記第１の無線アクセス技術ネットワークの前記ノードに送信すること、
をさらに含む、請求項１に記載の方法。
【請求項６】
前記ワイヤレス端末（３０）が、前記ダウンリンク品質決定のうちの少なくとも１つの指示を、前記プロキシ・リンク報告メッセージ内に含めることをさらに含む、請求項５に記載の方法。
【請求項７】
前記ワイヤレス端末（３０）が、前記ダウンリンク品質決定のうちの少なくとも１つの指示を、ワイヤレス端末（３０）分離リンク報告メッセージ内に含めることをさらに含む、請求項５に記載の方法。
【請求項８】
前記ワイヤレスが、第３の無線アクセス技術ネットワークに関する信号品質の決定を実行すること、及び
前記ワイヤレス端末（３０）が、前記第３の無線アクセス技術ネットワークの前記信号品質の指示を、前記第１の無線アクセス技術ネットワークの前記ノードに送信すること、
をさらに含む、請求項１に記載の方法。
【請求項９】
前記ワイヤレス端末（３０）が、前記第３の無線アクセス技術ネットワークの前記信号品質の指示を、前記プロキシ・リンク報告メッセージ内に含めることをさらに含む、請求項８に記載の方法。
【請求項１０】
ワイヤレス端末（３０）が、第１の無線アクセス技術ネットワーク及び第２の無線アクセス技術ネットワークと通信できるようにするように構成された、通信インターフェース（４０）を備え、
リンク報告プロセッサ（４２）が、前記第２の無線アクセス技術ネットワークからリンク報告メッセージを受信するように、及び、前記第１の無線アクセス技術ネットワークのノードへ送信するためのプロキシ・リンク報告メッセージを作成するように構成されること、
前記リンク報告メッセージが、前記ワイヤレス端末（３０）から前記第２の無線アクセス技術ネットワークへのアップリンク品質の指示を含むこと、及び
前記リンク報告プロセッサ（４２）が、前記品質決定の指示を前記プロキシ・リンク報告メッセージ内に含めるように構成されること、
を特徴とする、ワイヤレス端末（３０）。
【請求項１１】
前記リンク報告プロセッサ（４２）が、本質的にリンク報告メッセージ全体を前記プロキシ・リンク報告メッセージ内に含めるように構成される、請求項１０に記載の装置。
【請求項１２】
前記リンク報告プロセッサ（４２）が、前記アップリンク品質の前記指示を処理するように、及び、処理された結果を前記品質決定の前記指示として前記プロキシ・リンク報告メッセージ内に含めるように、構成される、請求項１０に記載の装置。
【請求項１３】
前記通信インターフェース（４０）が、前記第１の無線アクセス技術ネットワーク及び前記第２の無線アクセス技術ネットワークとのインタリーブされた通信を実行するように構成され、前記第１の無線アクセス技術ネットワーク及び前記第２の無線アクセス技術ネットワークが、それぞれGlobal System for Mobile communications（ＧＳＭ）ネットワーク及びロング・ターム・エボリューション（ＬＴＥ）ネットワークのうちの１つを含む、請求項１０に記載の装置。
【請求項１４】
前記第１の無線アクセス技術ネットワークに関するダウンリンク品質測定及び前記第２の無線アクセス技術ネットワークに関するダウンリンク品質測定を実行するように構成された、ワイヤレス端末（３０）測定ユニットをさらに備え、
前記リンク報告プロセッサ（４２）及び前記通信インターフェース（４０）が、前記ダウンリンク品質決定のうちの少なくとも１つの指示を、前記第１の無線アクセス技術ネットワークの前記ノードに送信するように構成された、
請求項１０に記載の装置。
【請求項１５】
前記リンク報告プロセッサ（４２）が、前記ダウンリンク品質測定のうちの少なくとも１つの前記指示を、前記プロキシ・リンク報告メッセージ内に含めるように構成された、請求項１４に記載の装置。
【請求項１６】
前記リンク報告プロセッサ（４２）が、前記ダウンリンク品質測定のうちの少なくとも１つの前記指示を、前記プロキシ・リンク報告メッセージとは別に第１の無線アクセス技術ネットワークの前記ノードに送信される、ワイヤレス端末（３０）分離リンク報告メッセージ内に含めるように構成された、請求項１４に記載の装置。
【請求項１７】
さらに前記測定ユニットが、第３の無線アクセス技術ネットワークに関する信号品質決定を実行するように構成され、
前記リンク報告プロセッサ（４２）及び前記通信インターフェース（４０）が、前記第３の無線アクセス技術ネットワークの前記信号品質の指示を、前記第１の無線アクセス技術ネットワークの前記ノードに送信するように構成された、
請求項１０に記載の装置。
【請求項１８】
前記リンク報告プロセッサ（４２）が、前記第３の無線アクセス技術ネットワークの前記信号品質の前記指示を、前記プロキシ・リンク報告メッセージ内に含めるように構成された、請求項１７に記載の装置。
【請求項１９】
ワイヤレス端末（３０）へのアップリンク送信を送信し、ワイヤレス端末（３０）からダウンリンク伝送を受信するように構成された、通信インターフェース（１００）と、
前記ワイヤレス端末（３０）からのアップリンク送信に関する品質決定を実行するように構成された、基地局測定ユニット（１０４）と、
前記品質決定の指示を、前記ワイヤレス端末（３０）へのリンク報告メッセージ内に含めるように構成された、基地局リンク報告プロセッサ（１０６）と、
を備えることを特徴とする、無線基地局ノード（２８）。
【請求項２０】
リンク報告メッセージ及びプロキシ・リンク報告メッセージを受信するように構成された、制御ノード・リンク報告プロセッサ（１３０）と、
第１の無線アクセス技術から第２の無線アクセス技術ネットワークへのハンドオーバを実行するかどうかを決定するために、前記リンク報告メッセージ及び前記リンク報告メッセージの両方を使用するように構成された、ハンドオーバ・ユニット（１３２）と、
を備えることを特徴とし、
前記リンク報告メッセージは、ワイヤレス端末（３０）と前記第１のネットワークのノードとの間の伝送に関する品質測定の指示を含み、
前記ハンドオーバ・ユニットは、前記ワイヤレス端末（３０）から前記第１の無線アクセス技術ネットワークを通じて前記プロキシ・リンク報告メッセージを受信するように構成され、前記プロキシ・リンク報告メッセージは、前記ワイヤレス端末（３０）から前記第２の無線アクセス技術ネットワークへのアップリンク送信に関する品質決定の指示を含む、
無線アクセス・ネットワーク・ハンドオーバ制御ノード（２６）。
【請求項２１】
第１の無線アクセス技術ネットワーク及び第２の無線アクセス技術ネットワークを備える通信システムを動作する方法であって、
前記第２の無線アクセス技術ネットワークの基地局ノードが、ワイヤレス端末（３０）からのアップリンク送信に関する品質決定を実行すること、
前記第２の無線アクセス技術ネットワークの前記基地局ノードが、前記ワイヤレス端末（３０）からの前記アップリンク送信に関する前記品質決定の指示を、前記ワイヤレス端末（３０）に送信されたリンク報告メッセージ内に含めること、
前記ワイヤレス端末（３０）が、前記リンク報告メッセージに基づく前記ワイヤレス端末（３０）からの前記アップリンク送信に関する品質決定の前記指示を、プロキシ・リンク報告メッセージ内に含めること、及び前記プロキシ・リンク報告メッセージを前記第１の無線アクセス技術ネットワークのノードに送信すること、
無線アクセス技術ハンドオーバ手順を実行するかどうかを決定するために、前記プロキシ・リンク報告メッセージ内に含められたような前記ワイヤレス端末（３０）からの前記アップリンク送信に関する前記品質決定を使用すること、
を特徴とする、方法。
【請求項２２】
前記ワイヤレス端末（３０）が、本質的に前記リンク報告メッセージ全体を前記プロキシ・リンク報告メッセージ内に含めることをさらに含む、請求項２１に記載の方法。
【請求項２３】
前記ワイヤレス端末（３０）が、前記アップリンク品質の前記指示を処理すること、及び、処理された結果を前記品質決定の前記指示として前記プロキシ・リンク報告メッセージ内に含めることをさらに含む、請求項２１に記載の方法。
【請求項２４】
前記ワイヤレス端末（３０）が、前記ワイヤレス端末（３０）と前記第１の無線アクセス技術ネットワークとの間での伝送に関する品質決定の指示を、前記第１の無線アクセス技術ネットワークの前記ノードにも提供すること、
前記無線アクセス技術ハンドオーバ手順を実行するかどうかを決定するために、前記ワイヤレス端末（３０）と前記第１の無線アクセス技術ネットワークとの間の前記信号品質の前記指示を使用すること、
をさらに含む、請求項２１に記載の方法。
【請求項２５】
前記ワイヤレス端末（３０）が、前記プロキシ・リンク報告メッセージ内で、前記ワイヤレス端末（３０）と前記第１の無線アクセス技術ネットワークとの間の伝送に関する前記品質決定の前記指示を、前記プロキシ・リンク報告メッセージ内にも含めることをさらに含む、請求項２４に記載の方法。
【請求項２６】
前記ワイヤレス端末（３０）が、前記ワイヤレス端末（３０）と前記第１の無線アクセス技術ネットワークとの間の前記伝送に関する前記品質決定の前記指示を、ワイヤレス端末（３０）分離リンク報告メッセージ内に含めることをさらに含む、請求項２４に記載の方法。
【請求項２７】
前記ワイヤレス端末（３０）が、第３の無線アクセス技術ネットワークの信号品質に関する決定を実行すること、
前記ワイヤレス端末（３０）が、前記第３の無線アクセス技術ネットワークの前記信号品質に関する前記決定の指示を、前記第１の無線アクセス技術ネットワークの前記ノードに送信すること、及び
前記無線アクセス技術ハンドオーバ手順を実行するかどうかを決定するために、前記第３の無線アクセス技術ネットワークの前記信号品質の前記指示を使用すること、
をさらに含む、請求項２１に記載の方法。
【請求項２８】
前記ワイヤレス端末（３０）が、前記第３の無線アクセス技術ネットワークの前記信号品質の前記指示を、前記プロキシ・リンク報告メッセージ内に含めることをさらに含む、請求項２７に記載の方法。
【請求項２９】
前記ワイヤレス端末（３０）が、前記第３の無線アクセス技術ネットワークの前記信号品質の前記指示を、ワイヤレス端末分離リンク報告メッセージ内に含めることをさらに含む、請求項２７に記載の方法。
【発明の詳細な説明】
【技術分野】
【０００１】
本技術は、ワイヤレス通信ネットワークに関し、具体的に言えば、ハンドオーバなどの目的での測定の報告及び／又は使用に関する。
【背景技術】
【０００２】
本出願は、そのすべての全文が参照により本明細書に組み込まれる、以下の米国仮特許出願に対する優先権を主張し、これらに関するものである。
２００９年１２月１７日出願のMagnus Olsson等への「GSM and LTE Multiplexing Systems」という名称の米国仮特許出願第６１／２８７，５７５号。
２００９年１２月１７日出願のMagnus Olsson等への「Link report Relay in Access Division Multiplexing Systems」という名称の米国仮特許出願第６１／２８７，６２３号。
２００９年１２月１７日出願のMagnus Olsson等への「WCDMA and LTE Multiplexing」という名称の米国仮特許出願第６１／２８７，４３８号。
２００９年１２月１７日出願のMagnus Olsson等への「Telecommunications Multiplexing」という名称の米国仮特許出願第６１／２８７，６２７号。
２００９年１２月１７日出願のMagnus Olsson等への「Access Division Multiplexing-Call Setup Performance Improvement」という名称の米国仮特許出願第６１／２８７，６３０号。
２００９年１２月１７日出願のMagnus Olsson等への「Scheduled Optimized for GSM and LTD Multiplexing」という名称の米国仮特許出願第６１／２８７，９５４号。
本出願は、そのすべてが本出願と同日に出願され、その全文が参照により本明細書に組み込まれる、以下の米国特許出願に関する。
Magnus Olsson等への「GSM and LTE Multiplexing」という名称の米国特許出願第１２／９４３，８０１号。
Magnus Olsson等への「Keeping Packet Switched Session in LTE While Circuit Switched Registered in WCDMA」という名称の米国特許出願第１２／９４３，６１２号。
Magnus Olsson等への「Maintaining Packet Switched Session in LTE When Establishing GSM Circuit Switched Call」という名称の米国特許出願第１２／９４３，６８５号。
Magnus Olsson等への「Call Setup For Access Division Multiplexing」という名称の米国特許出願第１２／９４３，７３６号。
Magnus Olsson等への「Scheduling For Access Division Multiplexing」という名称の米国特許出願第１２／９４３，５０４号。
Magnus Olsson等への「Link Report Relay in Access Division Multiplexing Systems」という名称の米国特許出願第１２／９４３，７７０号。
【０００３】
典型的なセルラー無線システムでは、ワイヤレス端末（移動局及び／又はユーザ機器ユニット（ＵＥ）とも呼ばれる）は、無線アクセス・ネットワーク（ＲＡＮ）を介して１つ又は複数のコア・ネットワークと通信する。無線アクセス・ネットワーク（ＲＡＮ）は、セル領域に分割された地理的領域をカバーしており、各セル領域は、いくつかのネットワークではたとえば「ＮｏｄｅＢ」（ＵＭＴＳ）又は「ｅＮｏｄｅＢ」（ＬＴＥ）とも呼ばれることのある、たとえば無線基地局（ＲＢＳ）などの基地局によってサービスが提供される。セルとは、基地局サイトの無線基地局機器によって無線カバレッジが提供される、地理的領域のことである。各セルは、ローカル無線領域内の、セル内でブロードキャストされる識別によって識別される。基地局は、基地局のレンジ内にあるユーザ機器ユニット（ＵＥ）との、無線周波数で動作するエア・インターフェースを介して通信する。
【０００４】
いくつかのバージョンの無線アクセス・ネットワークでは、通常、いくつかの基地局が（たとえば地上通信線又はマイクロ波によって）、それに接続された複数の基地局の様々な動作を監視及び調整するコントローラ・ノード（無線ネットワーク・コントローラ（ＲＮＣ）又は基地局コントローラ（ＢＳＣ）など）に接続される。無線ネットワーク・コントローラは、通常、１つ又は複数のコア・ネットワークに接続される。
【０００５】
Universal Mobile Telecommunications System（ＵＭＴＳ）は、第２世代（２Ｇ）Global System for Mobile Communications（ＧＳＭ）から進化した、第３世代移動通信システムである。ＵＴＲＡＮは、本来、ユーザ機器ユニット（ＵＥ）に対する広帯域符号分割多元接続を使用する無線アクセス・ネットワークである。第３世代パートナーシップ・プロジェクト（３ＧＰＰ）として知られるフォーラムでは、通信供給業者は、第３世代ネットワーク、具体的にはＵＴＲＡＮ向けの標準を提案してこれに合意し、拡張データ速度及び無線容量を調査する。Evolved Universal Terrestrial Radio Access Network（Ｅ−ＵＴＲＡＮ）に関する仕様が、第３世代パートナーシップ・プロジェクト（３ＧＰＰ）内で継続中である。Evolved Universal Terrestrial Radio Access Network（Ｅ−ＵＴＲＡＮ）は、ロング・ターム・エボリューション（ＬＴＥ）及びシステム・アーキテクチャ・エボリューション（ＳＡＥ）を備える。ロング・ターム・エボリューション（ＬＴＥ）は、無線基地局ノードが、（サービング・ゲートウェイ又はＳＧＷを介して）無線ネットワーク・コントローラ（ＲＮＣ）ノードではなくコア・ネットワークに接続される、３ＧＰＰ無線アクセス技術の変形である。一般に、ＬＴＥでは、無線ネットワーク・コントローラ（ＲＮＣ）ノードの機能は、無線基地局ノード（ＬＴＥ内のｅＮｏｄｅＢ）とＳＧＷとの間で分散される。したがって、ＬＴＥシステムの無線アクセス・ネットワーク（ＲＡＮ）は、無線ネットワーク・コントローラ（ＲＮＣ）ノードへの報告のない無線基地局ノードを備える、本質的に「フラットな」アーキテクチャを有する。
【０００６】
移動ネットワークの第１世代には、セルラー回線交換（ＣＳ）電話が導入された。その後、ＣＳ電話は、およそ４０億の加入を売り上げた世界最大のサービスになっている。現在でも、携帯電話会社の歳入の主要部分は、（ショート・メッセージ・サービス（ＳＭＳ）を含む）ＣＳ電話サービスからのものであり、依然として２Ｇ  ＧＳＭネットワークが、加入に関して世界を独占している。３Ｇ加入は量的には増加しているが、この増加は、ハンドヘルド携帯端末を持つユーザが２Ｇから３Ｇへと移行していることによるというよりも、ラップトップのドングル又は埋め込みチップセットを介して実施される、モバイル・ブロードバンドの結果によるところが大きい。
【０００７】
３ＧＰＰ内のロング・ターム・エボリューション（ＬＴＥ）プロジェクトは、とりわけエンド・ユーザにさらに良いモバイル・ブロードバンド（より高いスループット、より短い往復時間など）を提供するために、３Ｇ標準をさらに改良することを目標としている。
【０００８】
将来のネットワークはＡｌｌ−ＩＰネットワークであろうというのが、通信業界における共通認識である。この想定に基づいて、ＬＴＥ作業ではＣＳドメインが除去された。結果として、以下の４項目のうちの１つが実行されない限り、３ＧＰＰリリース８適合ＬＴＥ端末は、電話サービスを使用することができない。
（１）電話サービスが使用される際に、ＬＴＥ端末が２Ｇ  ＧＳＭへフォールバックするように、ＣＳフォールバック（ＣＳＦＢ）（fallback）を実施する。
（２）公衆交換回線網（ＰＳＴＮ）／公衆陸上移動網（ＰＬＭＮ）と相互動作する、ＩＰ及びＩＭＳを介して提供されるシミュレートされたＣＳ電話サービスである、３ＧＰＰインターネット・プロトコル（ＩＰ）マルチメディア・サブシステム（ＩＭＳ）／マルチメディア電話（ＭＭＴｅｌ）を実施する。
（３）ＣＳサービスがＩＰトンネル内にカプセル化される、ＬＴＥを介したUnlicensed Mobile Access（ＵＭＡ）／Generic Access Network（ＧＡＮ）を用いてトンネリング・ソリューションを実施する。
（４）ＰＳＴＮ／ＰＬＭＮ相互動作を用いて、所有権を主張できるボイス・オーバーＩＰ（ＶｏＩＰ）ソリューションを実施する。
【発明の概要】
【発明が解決しようとする課題】
【０００９】
これら４つの可能性は、すべて欠点を有する。二重転送モード（ＤＴＭ）機能を持たない展開されたＧＳＭネットワークでは、ＣＳ及びパケット交換（ＰＳ）サービスを並行して使用することはできない。したがって、回路交換フォールバック（ＣＳＦＢ）を使用する端末への、又は端末からの呼び出し以前に実行しているすべてのＰＳサービスは、保留になるか、又は終了する。ＧＳＭネットワークがＤＴＭを有する場合、ＰＳ性能は（１０Ｍｂｐｓ台から１０〜１００ｋｂｐｓ台へ）大幅に低下する。ＣＳフォールバック手法に伴う欠点の１つは、呼び出しているか、又は呼び出されている場合に、端末がＬＴＥからＧＳＭ及びＣＳサービスにフォールバックすることである。回路交換フォールバック（ＣＳＦＢ）は、呼び出しセットアップ時間も延長する。
【００１０】
ＩＭＳ／ＭＭＴｅｌ手法は、ＩＭＳベースの完全に新しいコア／サービス層を使用する。これにより、サービスを強化する新しい可能性が提供されるが、オペレータが克服すべき経済的障壁の欠点も伴う。新しいコア・ネットワークは資本支出（ＣＡＰＥＸ）を促進し、そのコア・ネットワークの統合は初期営業費（ＯＰＥＸ）の増加を促進する。さらにＩＭＳ／ＭＭＴｅｌ手法は、２Ｇ／３Ｇ  ＣＳ電話サービスとの間で音声ハンドオーバを処理するために、端末及びレガシーＣＳネットワーク内に機構を実装する必要がある。
【００１１】
ＬＴＥを介してＵＭＡ／ＧＡＮを使用することは標準化されたソリューションではないため、端末の可用性が問題となる可能性のある所有権を主張できるソリューションであることが欠点である。これにより、ネットワーク及び端末、たとえばネットワークにおけるＧＡＮコントローラ及びＵＥ端末におけるＧＡＮプロトコルの両方において、コア／サービス層に追加の機能を付加する。
【００１２】
所有権を主張できるＶｏＩＰ手法は、オペレータが制御した場合、ＩＭＳ／ＭＭＴｅｌ（新しいコア／サービス層）手法の場合と同じ欠点、並びに、それに関連付けられた所有権を主張できる難点を伴い、２Ｇ／３Ｇ  ＣＳへのハンドオーバがサポートされない可能性がある。
【００１３】
さらに、３ＧＰＰリリース８対応のＬＴＥ端末などのワイヤレス端末を用いてレガシーＣＳ電話サービスを使用する場合には、他のソリューションがある。そうした他のソリューションでは、アクセス分割多重化（ＡＤＭ）のタイプとしても知られるＧＳＭ  ＣＳ音声の伝送は、ＬＴＥ伝送間でインタリーブされる。たとえば、参照により本明細書に組み込まれた、ＰＣＴ／ＳＥ２００７／０００３５８を参照されたい。こうしたＡＤＭソリューションの一実施例では、ワイヤレス端末は２つのＴＤＭＡベース無線システムと同時に通信し、たとえば、無線端末は、２つのシステム間でのその通信を時間的に交互にすることによって、両方のシステムへの通信経路を維持することができる。２つのシステム間でのトグルは、時間尺度で、２つのシステム間での同時通信を効果的に生じさせるのに十分なだけ短い。
【００１４】
ＰＣＴ／ＳＥ２００７／０００３５８で開示されているようなＡＤＭの実装例では、第１のシステムをＧＳＭシステムとし、第２のシステムをＬＴＥとすることができる。ＧＳＭシステムへの通信経路は、ＣＳ音声サービスに対する無線チャネルを維持するために使用され、ＬＴＥ無線チャネルはデータ・サービスに使用される。
【００１５】
ＰＣＴ／ＳＥ２００７／０００３５８に示された、インタリーブされたＡＤＭソリューションの例では、移動局（ワイヤレス端末）は、任意の一時点で多くとも１つの無線システムの送信及び受信が可能である（単一受信器及び単一送信器技術）。わずかに異なる実施形態及びモードでは、移動局は、２つの受信無線チャネルを並行して維持しながら、依然として１つの無線チャネル上で送信のみを実行することができる（二重受信器及び単一送信器技術）。二重受信器及び単一送信器の実装は、２つのシステムからデータを同時に受信しながら、依然としてそのアップリンク送信に対して（たとえばＰＣＴ／ＳＥ２００７／０００３５８の）インタリーブを使用することによって、性能を向上させる。二重受信器単一送信器ソリューションは、無線部分の二重受信器無線チェーンが必要であるため、移動局のコストが高い。
【課題を解決するための手段】
【００１６】
その態様のうちの１つでは、本明細書で開示された技術は、対応する測定メッセージに対するメディエータ（mediator）として働くワイヤレス端末（たとえば移動局）を使用して、あるタイプのネットワークから別のタイプのネットワークへと（或いはその逆に）、関連する無線リンク関係情報を転送するためのメカニズムを提供する。好ましい実施例では、無線ソース制御機能が第１のネットワークＡ（たとえばＧＳＭネットワーク）に配置される。無線リソース制御機能は、第２のネットワークＢ（たとえばＬＴＥネットワーク）或いは、本明細書で説明されるネットワークＡ又はＢのうちの１つを構成する任意の他の無線ネットワークにも、等しく配置することができる。
【００１７】
その態様のうちの１つでは、本明細書で開示された技術は、通信システムを動作する方法に関する。通信システムは、第１の無線アクセス技術ネットワーク及び第２の無線アクセス技術ネットワークを備える。あるモード例では、方法は、第２の無線アクセス技術ネットワークの基地局ノードがワイヤレス端末からのアップリンク送信に関して品質決定を実行することを含む。第２の無線アクセス技術ネットワークの基地局ノードは、ワイヤレス端末に送信されたリンク報告メッセージ内に、無線端末からのアップリンク送信に関する品質決定の指示を含める。ワイヤレス端末は、プロキシ・リンク報告メッセージ内に、リンク報告メッセージで受信した指示に基づくワイヤレス端末からのアップリンク送信に関する品質決定の指示を含め、このプロキシ・リンク報告メッセージを、第１の無線アクセス技術ネットワークのノードに送信する。第１の無線アクセス技術ネットワークの制御ノードは、ワイヤレス端末からのアップリンク送信に関する（プロキシ・リンク報告メッセージに含まれるような）品質決定を使用して、無線アクセス技術のハンドオーバ手順を実行するかどうかを決定する。
【００１８】
モード及び実施形態の例では、ワイヤレス端末は、本質的に、（ワイヤレス端末からのアップリンク送信に関する品質決定の指示を含む）リンク報告メッセージ全体を、プロキシ・リンク報告メッセージ内に含め、このプロキシ・リンク報告メッセージを第１の無線アクセス技術ネットワークのノードに送信する。モード及び実施形態の他の例では、ワイヤレス端末は、アップリンク送信に関する品質決定の指示を取得し、この品質決定をプロキシ・リンク報告メッセージ内に挿入するか、又は他の方法で含める。モード及び実施形態のさらに他の例では、ワイヤレス端末は、アップリンク送信に関する品質決定の指示を取得し、この品質決定の指示に関して処理又は動作（たとえばフィルタリング又は平均化）した後、処理又は導出された品質決定の指示を（品質決定の指示として）プロキシ・リンク報告メッセージ内に挿入するか又は他の方法で含める。
【００１９】
モード及び実施形態の例では、方法は、ワイヤレス端末が、第１の無線アクセス技術ネットワークのノードに、ワイヤレス端末と第１の無線アクセス技術ネットワークとの間の伝送に関する品質決定の指示も提供することを、さらに含む。第１の無線アクセス技術ネットワークのノードは、ワイヤレス端末と第１の無線アクセス技術ネットワークとの間の信号品質の指示も使用して、無線アクセス技術ハンドオーバ手順を実行するかどうかを決定する。実施例では、ワイヤレス端末は、プロキシ・リンク報告メッセージ内に、ワイヤレス端末と第１の無線アクセス技術ネットワークとの間の伝送に関する品質決定の指示も含める。モード及び実施形態の他の例では、方法は、ワイヤレス端末が、ワイヤレス端末と第１の無線アクセス技術ネットワークとの間の伝送に関する品質決定の指示をワイヤレス端末分離リンク報告メッセージ内に含めることを、さらに含む。
【００２０】
モード及び実施形態の例では、方法は、ワイヤレス端末が、第３の無線アクセス技術ネットワークの信号品質に関する決定を行うことをさらに含む。第１の無線アクセス技術ネットワークのノードは、第３の無線アクセス技術ネットワークの信号品質の指示を使用して、無線アクセス技術ハンドオーバ手順を実行するかどうかも決定する。実施例では、ワイヤレス端末は、第３の無線アクセス技術ネットワークの信号品質の指示をプロキシ・リンク報告メッセージ内に含める。他の実施例では、ワイヤレス端末は、第３の無線アクセス技術ネットワークの信号品質の指示をワイヤレス端末分離リンク報告メッセージ内に含める。
【００２１】
その他の態様では、本明細書で開示された技術は、マルチネットワーク測定コミュニケータ（communicator）として働くワイヤレス端末に関する。ワイヤレス端末は、通信インターフェース及びリンク報告プロセッサを備える。通信インターフェースは、ワイヤレス端末が第１の無線アクセス技術ネットワーク及び第２の無線アクセス技術と通信できるようにするように構成される。リンク報告プロセッサは、第２の無線アクセス技術ネットワークからリンク報告メッセージを受信するように、及び、第１の無線アクセス技術ネットワークのノードに送信するためのプロキシ・リンク報告メッセージを作成するように、構成される。リンク報告メッセージは、ワイヤレス端末から第２の無線アクセス技術ネットワークへのアップリンク品質の指示を含む。リンク報告プロセッサは、品質決定の指示をプロキシ・リンク報告メッセージ内に含めるように構成される。
【００２２】
実施形態例では、通信インターフェースは、第１の無線アクセス技術ネットワーク及び第２の無線アクセス技術ネットワークとのインタリーブされた通信を実行するように構成される。実施例では、第１の無線アクセス技術ネットワーク及び第２の無線アクセス技術ネットワークは、ＧＳＭネットワーク及びロング・ターム・エボリューション（ＬＴＥ）ネットワークを含む。
【００２３】
実施形態例では、ワイヤレス端末は、ワイヤレス端末測定ユニットをさらに備える。ワイヤレス端末測定ユニットは、第１の無線アクセス技術ネットワークに関したダウンリンク品質測定と、第２の無線アクセス技術ネットワークに関したダウンリンク品質測定とを、実行するように構成される。リンク報告プロセッサ及び通信インターフェースは、ダウンリンク品質測定のうちの少なくとも１つの指示を、第１の無線アクセス技術ネットワークのノードに送信するように構成される。
【００２４】
実施形態例では、リンク報告プロセッサは、ダウリンク品質測定のうちの少なくとも１つの指示を、第１の無線アクセス技術ネットワークのノードに送信されるプロキシ・リンク報告メッセージ内に含めるように構成される。
【００２５】
他の実施形態例では、リンク報告プロセッサは、ダウリンク品質測定のうちの少なくとも１つの指示を、プロキシ・リンク報告メッセージとは別に第１の無線アクセス技術ネットワークのノードに送信される、ワイヤレス端末分離リンク報告メッセージ内に含めるように構成される。
【００２６】
実施形態例では、さらに測定ユニットは、第３の無線アクセス技術ネットワークに関する信号品質決定を実行するように構成される。リンク報告プロセッサ及び通信インターフェースは、第３の無線アクセス技術ネットワークの信号品質の指示を、第１の無線アクセス技術ネットワークのノードに送信するように構成される。実施例では、リンク報告プロセッサは、第３の無線アクセス技術ネットワークの信号品質の指示を、プロキシ・リンク報告メッセージ内に含めるように構成される。
【００２７】
その他の態様では、本明細書で開示された技術は、第１の無線アクセス技術ネットワーク及び第２の無線アクセス技術と通信することが可能な、ワイヤレス端末を動作する方法に関する。ワイヤレス端末方法は、ワイヤレス端末が、リンク報告メッセージを第２の無線アクセス技術ネットワークから受信することを含む。リンク報告メッセージは、ワイヤレス端末から第２の無線アクセス技術ネットワークへの、アップリンク品質の指示を含む。ワイヤレス端末方法は、ワイヤレス端末が、品質決定の指示をプロキシ・リンク報告メッセージ内に含めること、及びそのプロキシ・リンク報告メッセージを第１の無線アクセス技術ネットワークのノードに送信することを、さらに含む。
【００２８】
モード及び実施形態の例では、ワイヤレス端末方法は、ワイヤレス端末が、第１の無線アクセス技術ネットワーク及び第２の無線アクセス技術ネットワークとのインタリーブされた通信を実行することをさらに含む。実施例では、第１の無線アクセス技術ネットワーク及び第２の無線アクセス技術ネットワークは、ＧＳＭネットワーク及びロング・ターム・エボリューション（ＬＴＥ）ネットワークを含む。
【００２９】
モード及び実施形態の例では、ワイヤレス端末方法は、ワイヤレス端末が、第１の無線アクセス技術ネットワークに関したダウンリンク品質決定及び第２の無線アクセス技術ネットワークに関したダウンリンク品質決定を実行すること、並びに、ワイヤレス端末が、ダウンリンク品質決定のうちの少なくとも１つの指示を第１の無線アクセス技術ネットワークのノードに送信することを、さらに含む。実施例では、ワイヤレス端末方法は、ワイヤレス端末が、ダウンリンク品質決定のうちの少なくとも１つの指示をプロキシ・リンク報告メッセージ内に含めることを、さらに含む。他の実施例では、ワイヤレス端末方法は、ワイヤレス端末が、ダウンリンク品質決定のうちの少なくとも１つの指示を、プロキシ・リンク報告メッセージとは別に第１の無線アクセス技術ネットワークのノードに送信される、ワイヤレス端末分離リンク報告メッセージ内に含めることを、さらに含む。
【００３０】
モード及び実施形態の例では、ワイヤレス端末方法は、ワイヤレス端末が、第３の無線アクセス技術ネットワークに関してダウンリンク品質の決定を実行すること、及び、ワイヤレス端末が、第３の無線アクセス技術ネットワークの信号品質の指示を、第１の無線アクセス技術ネットワークのノードに送信することを、さらに含む。実施例では、ワイヤレス端末方法は、ワイヤレス端末が、第３の無線アクセス技術ネットワークの信号品質の指示をプロキシ・リンク報告メッセージ内に含めることを、さらに含む。
【００３１】
その他の態様では、本明細書で開示された技術は、無線基地局ノードに関する。無線基地局ノードは、通信インターフェースと、基地局測定ユニットと、基地局リンク報告プロセッサとを備える。通信インターフェースは、ワイヤレス端末に関してアップリンク及びダウンリンクの伝送を処理するように構成される。基地局測定ユニットは、ワイヤレス端末からのアップリンク送信に関して品質測定を実行するように構成される。基地局リンク報告プロセッサは、品質測定の指示をワイヤレス端末へのダウンリンク・メッセージ内に含めるように構成される。
【００３２】
その他の態様では、本明細書で開示された技術は、無線アクセス・ネットワーク・ハンドオーバ制御ノードに関する。無線アクセス・ネットワーク・ハンドオーバ制御ノードは、制御ノード・リンク報告プロセッサ及びハンドオーバ・ユニットを備える。制御ノード・リンク報告プロセッサは、リンク報告メッセージ及びプロキシ・リンク報告メッセージを受信するように構成される。ハンドオーバ・ユニットは、第１の無線アクセス技術ネットワークから第２の無線アクセス技術ネットワークへのハンドオーバを実行するかどうかを決定するために、リンク報告メッセージ及びプロキシ・リンク報告メッセージの両方を使用するように構成される。リンク報告メッセージは、ワイヤレス端末と第１のネットワークのノードとの間の伝送に関する品質測定の指示を含む。ハンドオーバ・ユニットは、ワイヤレス端末から第１の無線アクセス技術ネットワークを介してプロキシ・リンク報告メッセージを受信するように構成され、プロキシ・リンク報告は、ワイヤレス端末から第２の無線アクセス技術ネットワークのノードへのアップリンク送信に関する品質決定の指示を含む。
【００３３】
本発明の前述及び他の目的、特徴、及び利点は、様々な図面全体を通じて参照番号が同じ部分を表している添付の図面に示された、好ましい諸実施形態についての以下のより具体的な説明から明らかとなろう。図面は必ずしも一定の縮尺ではなく、代わりに、本発明の原理を示すことに重点が置かれている。
【図面の簡単な説明】
【００３４】
【図１】ワイヤレス端末（たとえば移動局）が２つの無線ネットワークＡ及びＢとの無線通信において同時にアクティブであり、第３のネットワークＣのカバレッジ領域内にもある、システムを示す線図である。
【図２】２つの無線アクセス技術ネットワークと、マルチネットワーク測定コミュニケータとして働くワイヤレス端末とを備える、通信システムを示す概略図である。
【図３】３つの無線アクセス技術ネットワークと、マルチネットワーク測定コミュニケータとして働くワイヤレス端末とを備える、通信ネットワークを示す概略図である。
【図４Ａ】マルチネットワーク測定通信ワイヤレス端末の実施形態例を示す線図である。
【図４Ｂ】マルチネットワーク測定通信ワイヤレス端末の他の実施形態例を示し、特に、品質決定の指示に関して処理又は動作（たとえばフィルタリング又は平均化）した後、処理又は導出された品質決定の指示を（品質決定の指示として）プロキシ・リンク報告メッセージ内に挿入するか又は他の方法で含める、マルチネットワーク測定通信ワイヤレス端末の他の実施形態例を示す、線図である。
【図５】マルチネットワーク測定通信ワイヤレス端末の実施形態例をより詳細に示す線図である。
【図６】マルチネットワーク測定通信ワイヤレス端末の実施形態例をさらにより詳細に示す線図である。
【図７】マルチネットワーク測定ワイヤレス端末への伝送のためにリンク報告メッセージを作成するように構成された、基地局ノードの実施形態例を示す線図である。
【図８】マルチネットワーク測定ワイヤレス端末への伝送のためにリンク報告メッセージを作成するように構成された、基地局ノードの実施形態例をより詳細に示す線図である。
【図９】基地局制御ノードの実施形態例を示す線図である。
【図１０】基地局制御ノードの実施形態例をより詳細に示す線図である。
【図１１】ワイヤレス端末がマルチネットワーク測定コミュニケータとして動作する基本方法を含む、代表的な動作又はステップの例を示すフローチャートである。
【図１１Ａ】ワイヤレス端末がマルチネットワーク測定コミュニケータとして動作する他の方法を含む、代表的な動作又はステップの例を示すフローチャートである。
【図１１Ｂ】ワイヤレス端末がマルチネットワーク測定コミュニケータとして動作するさらに他の方法を含む、代表的な動作又はステップの例を示すフローチャートである。
【図１２】ワイヤレス端末が、複数の無線アクセス技術ネットワークに関して多重化又はインタリーブを実行するのに好適である、図１１の基本方法を示すフローチャートである。
【図１３】ワイヤレス端末が、１つ又は複数のダウンリンク品質測定を実行し、ダウンリンク品質測定のうちの少なくとも１つの指示をプロキシ・リンク報告メッセージに含めることによって増補された、図１１の基本方法を示す線図である。
【図１４】ワイヤレス端末が、１つ又は複数のダウンリンク品質測定を実行し、ダウンリンク品質測定のうちの少なくとも１つの指示を、プロキシ・リンク報告メッセージに先行する分離リンク報告メッセージ内に含めることによって増補された、図１１の基本方法を示す線図である。
【図１５】ワイヤレス端末が、１つ又は複数のダウンリンク品質測定を実行し、ダウンリンク品質測定のうちの少なくとも１つの指示を、プロキシ・リンク報告メッセージに後続する分離リンク報告メッセージ内に含めることによって増補された、図１１の基本方法を示す線図である。
【図１６】ワイヤレス端末が、さらに他のネットワークに関する測定を実行及び報告し、さらに他のネットワークに関する測定をプロキシ・リンク報告メッセージ内に含めることによって増補された、図１３の基本方法を示す線図である。
【図１７】ワイヤレス端末が、さらに他のネットワークに関する測定を実行及び報告し、さらに他のネットワークに関する測定を、プロキシ・リンク報告メッセージに先行する分離リンク報告メッセージ内に含めることによって増補された、図１３の基本方法を示す線図である。
【図１８】ワイヤレス端末が、さらに他のネットワークに関する測定を実行及び報告し、さらに他のネットワークに関する測定を、プロキシ・リンク報告メッセージに後続する分離リンク報告メッセージ内に含めることによって増補された、図１３の基本方法を示す線図である。
【図１９】マルチネットワーク測定機能を含む通信システムを動作する基本方法を含む、代表的な動作又はステップの例を示すフローチャートである。
【図２０】ワイヤレス端末が、１つ又は複数のダウンリンク品質測定を実行し、ダウンリンク品質測定のうちの少なくとも１つの指示をプロキシ・リンク報告メッセージに含めることによって増補された、図１９の基本方法を示す線図である。
【図２１】ワイヤレス端末が、１つ又は複数のダウンリンク品質測定を実行し、ダウンリンク品質測定のうちの少なくとも１つの指示を、プロキシ・リンク報告メッセージに先行する分離リンク報告メッセージ内に含めることによって増補された、図１９の基本方法を示す線図である。
【図２２】ワイヤレス端末が、さらに他のネットワークに関する測定を実行及び報告し、測定をプロキシ・リンク報告メッセージ内に含めることによって増補された、図１９の基本方法を示す線図である。
【図２３】ワイヤレス端末が、さらに他のネットワークに関する測定を実行及び報告し、さらに他のネットワークに関する測定を、プロキシ・リンク報告メッセージに後続する分離リンク報告メッセージ内に含めることによって増補された、図１９の基本方法を示す線図である。
【発明を実施するための形態】
【００３５】
以下の記述では、限定ではなく説明の目的で、本発明を完全に理解するために、特定のアーキテクチャ、インターフェース、技法などの特定の細部が示されている。しかしながら、当業者であれば、本発明が、これらの特定の細部から逸脱した他の実施形態で実施可能であることが明らかとなろう。すなわち、当業者であれば、本明細書では明示的に説明又は図示されていないが、本発明の原理を具体化し、その趣旨及び範囲に含まれる、様々な配置構成が考案可能であろう。いくつかのインスタンスでは、不必要な細部が本発明の記述を不明瞭にすることのないように、良く知られたデバイス、回路、及び方法の詳細な記述は省略されている。本発明の原理、態様、及び実施形態、並びにその特定の例を示す本明細書のすべての文は、その構造上及び機能上の両方の等価物を包含することが意図されている。加えて、こうした等価物は、現在知られている等価物、並びに今後開発される等価物、すなわち構造に関係なく同じ機能を実行するように開発された任意の要素の、両方を含むことが意図されている。
【００３６】
したがって、たとえば当業者であれば、本明細書のブロック図は、技術の原理を具体化する例示的回路又は他の機能ユニットの概念図を表すことができることを理解されよう。同様に、任意のフローチャート、状態遷移図、擬似コードなどが、コンピュータ読み取り可能媒体内に実質上表すことが可能な、したがって、コンピュータ又はプロセッサが明示的に示されているか否かに関わらず、こうしたコンピュータ又はプロセッサによって実行することが可能な、様々なプロセス表すことを理解されよう。
【００３７】
「コンピュータ」、「プロセッサ」、又は「コントローラ」としてラベル付け又は説明されたものを含むがこれらに限定されない、機能ブロックを含む様々な要素の機能は、コンピュータ読み取り可能媒体上に記憶された符号化命令の形のソフトウェアを実行することが可能な、回路ハードウェア及び／又はハードウェアなどの、ハードウェアの使用を介して提供することができる。したがってこうした機能及び図視された機能ブロックは、ハードウェア実装及び／又はコンピュータ実装のいずれか、したがってマシン実装であるものとして、理解されることになる。
【００３８】
ハードウェア実装の点で、機能ブロックは、制限なしに、デジタル信号プロセッサ（ＤＳＰ）ハードウェア、縮小命令セット・プロセッサ、特定用途向け集積回路（ＡＳＩＣ）を含むがこれに限定されないハードウェア（たとえばデジタル又はアナログ）回路、及び、（適切であれば）こうした機能を実行することが可能な状態マシンを、含むか又は包含することが可能である。
【００３９】
コンピュータ実装の点で、コンピュータは一般に、１つ又は複数のプロセッサ或いは１つ又は複数のコントローラを備えるものと理解され、コンピュータ及びプロセッサ及びコントローラという用語は、本明細書では交換可能に使用することができる。コンピュータ又はプロセッサ又はコントローラによって提供される場合、機能は、単一の専用コンピュータ又はプロセッサ又はコントローラによって、或いは単一の共有コンピュータ又はプロセッサ又はコントローラによって、或いは、その一部が共有又は分散可能である、複数の個々のコンピュータ又はプロセッサ又はコントローラによって、提供可能である。さらに、「プロセッサ」又は「コントローラ」という用語を使用することは、前述のハードウェア例などの、こうした機能の実行及び／又はソフトウェアの実行が可能な他のハードウェアを言い表すものとも解釈されたい。
【００４０】
たとえば、ＰＣＴ／ＳＥ２００７／０００３５８に開示されたようなアクセス分割多重化システムに関する送信器及び受信器技術の前述の無線挙動及び送信器／受信器実装について、依然として、なお解決されるべきネットワーク機能がある。なお解決されるべきネットワーク機能の中には、１つのネットワーク内の回路交換（ＣＳ）音声サービス及び第２のネットワーク内のパケット・データ・サービスに同時に従事する、移動体が必要とするページング、登録、ハンドオフ、及び移動性に関する機能がある。
【００４１】
本明細書で開示された技術は、たとえば、移動局が２つの異なる無線ネットワークに同時に接続される状況で、ネットワーク制御ハンドオフ（たとえば、ネットワーク制御ハンドオフ・アルゴリズム）を有する問題に関する。
【００４２】
Global System for Mobile communications（ＧＳＭ）、広帯域符号分割多元接続（ＷＣＤＭＡ）、cdma1x、Evolution Data Optimized（ＥＶＤＯ）、ロング・ターム・エボリューション（ＬＴＥ）、などの、セルラー無線システムでは、ネットワークには、アクティブ・モードの移動局に関して異なるセル代替を評価する責務がある。本明細書で使用される「アクティブ・モード」とは、移動局がデータ転送、音声呼び出し、又はその両方にアクティブに従事することを意味する。ＧＳＭでは、これは、専用モードにある移動局と等価であり、ＷＣＤＭＡ及びＬＴＥでは、ワイヤレス端末（たとえば移動局）は確立された無線ベアラ及び無線リソース・コンテキストをそれぞれ有する。前述のそれぞれのシステムでは、移動局がその通信においてアクティブである場合、ネットワークは、アップリンク送信上で移動局から無線基地局への無線リンク品質測定を実行する。同様に、移動局は、ダウンリンク無線伝送上で品質測定を実行する。アップリンク及びダウンリンクの両方における測定は、信号強度測定、ビット誤り測定、推定ビット誤り確率、フレーム消去率、ブロック誤り率、又は任意の他の関連する無線リンク品質に関するインジケータの組み合わせを含むことができる。ダウンリンクにおける測定は、たとえば３ＧＰＰ技術仕様によって指定される。移動局は、アクティブ無線チャネル上での品質測定に加えて、非サービング（non-serving）無線セル候補上での品質測定も実行する。これらの品質測定は、通常、信号強度のみの測定を含むが、直接又は間接的な他の測定も含むことができる。
【００４３】
ネットワークが、移動局の無線性能に関してサービング・セル及び隣接セルを評価するにあたって、評価を実行するネットワーク無線リソース制御エンティティは、（アップリンク無線品質に関する）ネットワーク自体、及び（ダウンリンク無線品質及び隣接セルへの無線リンクの品質に関する）移動局の、両方からの品質情報（たとえば測定値）を必要とする。最先端技術では、これは、その測定値（又はその測定値の表現）を、適切に定義されたリンク報告セットでネットワークに送信するよう、移動局に対して命令することによって実行される。リンク報告は、ＧＳＭ及びＷＣＤＭＡの場合のように連続して、又は、ＬＴＥの場合のように無線及びトラフィック条件のセットに関して条件付きで、送信される。その後、ネットワーク内のリソース管理制御ユニットは、移動局によって送信されたリンク報告内の品質情報と、ネットワーク測定からのネットワーク維持情報とを組み合わせる。アップリンク、ダウンリンク、及び隣接セルの、無線リンク品質に関する組み合わせられた情報は、接続される移動局に関して最良のセルを決定するために、位置特定アルゴリズムのセットでネットワークによって使用される。通常、位置特定アルゴリズムは標準化されないが、システムによって異なる可能性がある。好ましい実装では、ネットワークは、位置特定アルゴリズムからの結果を使用して、サービング・セルが好ましいセルである（この場合、ハンドオフ・コマンドは移動局に送信されない）かどうか、或いは隣接セルの１つが好ましい（この場合、ハンドオフが作成され、適切なハンドオフ・コマンドが移動局に送信される）かどうかを決定する。
【００４４】
本明細書で開示された技術は、たとえば、図１に関連して図示された問題に対処する。図１は、たとえばネットワーク２２Ａ、ネットワーク２２Ｂ、及びネットワーク２２Ｃの、３つのネットワーク２２を備える、通信システム２０を示す。図１には示されていないが、いくつかのネットワーク２２は、基地局制御ノード２６（たとえば、基地局コントローラ・ノード又は無線ネットワーク・コントローラ・ノード）を備える。各ネットワーク２２は、ネットワーク２２Ａに対する基地局２８Ａ、ネットワーク２２Ｂに対する基地局２８Ｂ、ネットワーク２２Ｃに対する基地局２８Ｃのように、１つ又は複数の基地局２８を有する。
【００４５】
図１に示された状況では、移動局又はワイヤレス端末３０は、２つの無線ネットワーク、たとえばネットワーク２２Ａ及びネットワーク２２Ｂとの無線通信において、同時にアクティブである。例示的状況では、ネットワーク２２Ａは、たとえばＧＳＭ無線ネットワークとすることが可能であり、ネットワーク２２ＢはＬＴＥ無線ネットワークとすることが可能である。図１の状況では、（たとえば基地局制御ノード２６に配置された）無線リソース制御ユニットは、移動局、ネットワーク２２Ａ、及びネットワーク２２Ｂからの測定情報を必要とすることになる。
【００４６】
したがって、図１に示された例示的状況では、ワイヤレス端末３０は、ＧＳＭネットワーク（システム／ネットワーク２２Ａ）内でアクティブに通信しており、ＬＴＥネットワーク（システム／ネットワーク２２Ｂ）内でアクティブに通信している一方で、ＷＣＤＭＡネットワーク（システム／ネットワーク２２Ｃ）のカバレッジ領域内にもある。ネットワーク２２Ａ及びネットワーク２２Ｂとの無線通信のダウンリンク性能を評価するために、ワイヤレス端末３０からの品質（たとえば測定）情報が必要とされる。さらに、移動局がネットワーク２２Ｃ内の近接セルへとハンドオフされる場合、予測される無線性能を評価するために、無線リソース制御機能によって、ワイヤレス端末３０からの品質情報が必要とされる。ネットワーク２２Ａとのアップリンク無線通信の品質、さらに潜在的には、ロード状況及びネットワーク・レベル干渉レベルなどの、ネットワーク２２Ａによって維持される他の関連情報を評価するために、ネットワーク２２Ａからの品質情報が必要とされる。同様に、ネットワーク２２Ｂとのアップリンク無線通信の品質、さらに潜在的には、ロード状況及びネットワーク・レベル干渉レベルなどの、ネットワーク２２Ｂによって維持される他の関連情報を評価するために、ネットワーク２２Ｂからの品質情報が必要とされる。いずれの有効な無線リソース制御機能も、総合無線リンク性能（システム２２Ａ及びシステム２２Ｂの両方との通信）を評価し、システム２２Ｃへの潜在的ハンドオフ後に推定される性能と比較することができるために、上記すべての情報を必要とすることになる。
【００４７】
現時点で最先端の無線リソース制御機能では、ワイヤレス端末３０、ネットワーク２２Ａ、及びネットワーク２２Ｂからの所望な品質情報が得られないという問題がある。これは、ネットワーク２２Ａからネットワーク２２Ｂへ、又はその逆に、品質情報を転送することができるメカニズムがないためである。これは、無線リソース制御機能がネットワーク２２Ａ内（たとえばＧＳＭネットワーク内）に配置された場合、現時点で最先端技術の無線リソース制御機能は、ネットワーク２２Ｂ（たとえばＬＴＥネットワーク）との通信のアップリンク性能に関するいかなる情報も、また実際には、ロード状況などのネットワーク２２Ｂによって維持されるいかなる他の関連情報も、有さないことを意味する。同様に、無線リソース制御機能がネットワーク２２Ｂ内（たとえばＬＴＥネットワーク内）に配置された場合、現時点で最先端技術の無線リソース制御機能は、ネットワーク２２Ａ（たとえばＧＳＭネットワーク）との通信のアップリンク性能に関するいかなる情報も、また実際には、ロード状況などのネットワーク２２Ａによって維持されるいかなる他の関連情報も、有さないことになる。
【００４８】
この問題は、図１に示されたような多重無線技術ネットワーク・シナリオにおける、通信サービスの性能に対する厳しい制限を示唆する。一例として、無線リソース制御ユニットがシステム２２Ｂ（たとえばＬＴＥシステム）内に配置された場合、無線リソース制御機能は、アップリンクＧＳＭ音声性能（ＧＳＭはここではネットワーク２２Ａである）について知らないことになる。移動局が、それ自体が十分高いアップリンク（ＵＬ）経路が失われた場所、たとえば建物内部の奥深くにいることを認識した場合、ＧＳＭ音声呼び出しは、ＧＳＭアップリンク通信の品質が不良であることに無線リソース制御機能が気付くことなく、ＧＳＭネットワークによってドロップされることになる。しかし、無線リソース制御機能がネットワーク２２Ａからの関連する品質情報を有する場合、ネットワーク２２Ａ内のアップリンク無線リンクが失われる前に、ネットワーク２２Ｃへハンドオフすることによって、呼び出しのドロップを防ぐことができる。
【００４９】
その態様のうちの１つでは、本明細書で開示された技術は、対応する品質メッセージのための、メディエータ又はリレー又はマルチネットワーク・コミュニケータとして動作する、ワイヤレス端末３０（たとえば移動局）を使用して、関連する無線リンク関係情報を、１つのネットワークから他のネットワークへと、たとえばネットワーク２２Ｂからネットワーク２２Ａへと（又はその逆に）転送するための、メカニズムを提供する。
【００５０】
（図２に示されるような）実施例では、無線リソース制御機能はネットワークＡ（たとえばＧＳＭネットワーク）に配置される。しかしながら、無線リソース制御機能は、ネットワークＢ（たとえばＬＴＥネットワーク）、或いは、ネットワークＡ又はＢのうちの１つを構成する任意の他の無線ネットワーク、或いは本明細書に記載された任意の他のネットワークにも、等しく配置可能であることを理解されたい。
【００５１】
図２に示された通信システム２０（２）の一例では、無線リソース制御機能（ＲＲＣＵ）３４Ａは、ネットワーク２２Ａの一部として、ＧＳＭ基地局コントローラ（ＢＳＣ）２６Ａ内に実装される。この例示的シナリオでは、ネットワーク２２Ａは、少なくとも１つの基地局コントローラ（ＢＳＣ）２６Ａに接続された少なくとも１つのＧＳＭ基地局（ＲＢＳ  ２８Ａ）を備える。基地局コントローラ２６Ａは、無線リソース制御機能（ＲＲＣＵ）３４Ａ及びメモリ・ユニット（ＭＵＩ）３６Ａを含むか又は備える。
【００５２】
図３に示された通信システム２０（３）の一例は、図２に類似しているが、さらにネットワーク２２Ｃを含む。ネットワーク２２Ｃは、少なくとも１つの無線ネットワーク・コントローラ（ＲＮＣ）２６Ｃに接続された、少なくとも１つの無線基地局（ＲＢＳ）２８Ｃを備える。図３の例では、ネットワーク２２ＣはＷＣＤＭＡ無線アクセス技術ネットワークである。しかしながら、ネットワーク２２Ｃは、第３のネットワークの代表であるものと意図され、ＷＣＤＭＡ無線アクセス技術ネットワークである必要はないが、たとえば他のＧＳＭ又はＬＴＥネットワーク、或いは他の前述のネットワークとすることができることを理解されたい。
【００５３】
図２に示されるように、少なくとも１つのワイヤレス端末３０が、（ネットワーク２２Ａの）無線基地局２８Ａ及び（ネットワーク２２Ｂの）無線基地局２８Ｂのカバレッジ領域内へと移動する。図３は、（ネットワーク２２Ａの）無線基地局２８Ａ、（ネットワーク２２Ｂの）無線基地局２８Ｂ、及び（ネットワーク２２Ｃの）無線基地局２８Ｃのカバレッジ領域内へと移動する、ワイヤレス端末（ＵＥ）３０を示す。ワイヤレス端末３０はメモリ・ユニット（ＭＵ２）３８を備える。
【００５４】
図２に示されたシナリオでは、ネットワーク２２Ａは、３ＧＰＰ技術仕様に従って、ＲＢＳ  ２８Ａ内で、ネットワーク２２Ａへのアップリンク通信リンクのＧＳＭアップリンク無線測定を実行する。既知の技術を使用して、測定結果は、無線リソース制御機能（ＲＲＣＵ）３４Ａにアクセス可能なメモリ・ユニット（ＭＵ１）３６Ａ内に測定／リンク報告を記憶するＢＳＣ  ２６Ａへと、ＲＢＳ  ２８ＡからＡｂｉｓインターフェースを介して移送される。
【００５５】
これと並行して、ネットワーク２２Ｂの一部であるＬＴＥ  ＲＢＳ  ２８Ｂは、ワイヤレス端末３０からロング・ターム・エボリューション（ＬＴＥ）ＲＢＳ  ２８Ｂへの、アップリンク無線リンク通信チャネルの品質測定を実行する。本明細書で開示された技術を使用して、ＲＢＳ  ２８Ｂは、ダウンリンク無線チャネル上でワイヤレス端末３０へと送信されるリンク報告メッセージ（ＭＲＭ１）内に、測定結果を定期的に書き込む。別の方法として、リンク報告は、ロング・ターム・エボリューション（ＬＴＥ）無線基地局ＲＢＳ  ２８Ｂによって測定された性能指示の、フィルタリングされた信号強度又は平均値などの、処理済み測定結果を含むことができる。本明細書で使用される「リンク報告」は、ハンドオーバ決定に密接に結び付いた任意の情報を含むことが可能であり、したがって前述のような測定値などのリンク関係情報を含むが、これに限定されるものではない。
【００５６】
ワイヤレス端末３０は、リンク報告メッセージＭＲＭ１を受信し、この情報をワイヤレス端末３０内に実装されたローカル・メモリ・ユニット（ＭＵ２）３８内に記憶する。このプロセスと並行し、ワイヤレス端末３０は従来技術を使用して、それぞれネットワーク２２Ａ及びネットワーク２２Ｂに関するダウンリンク通信チャネルの性能品質を測定する。図３の実施形態では、ワイヤレス端末３０は、既知の技術を使用して、信号強度の測定、及び／又は、ネットワーク２２Ｃ（ネットワーク２２Ｃは図３の例示的実装におけるＷＣＤＭＡネットワークである）に属する任意の近隣セルに接続されていればワイヤレス端末３０が取得すると予想される無線チャネル品質に関する、他の品質情報（測定）の獲得も実行する。
【００５７】
その後、本明細書で開示された技術を使用して、ワイヤレス端末３０は、リンク報告メッセージＭＲＭ２を構成する。ワイヤレス端末３０は、以前にＬＴＥ  ＲＢＳ  ２８Ｂから受信されたリンク報告メッセージＭＲＭ１内で受信された、メモリ・ユニットＭＵ２に記憶された情報を、リンク報告メッセージＭＲＭ２内に書き込む。ワイヤレス端末３０は、さらにオプションで、ダウンリンク無線チャネル及び近接セル上で移動局によって取得された品質（たとえば測定）結果を、リンク報告メッセージＭＲＭ２内に書き込む。さらに本明細書で開示された技術を使用して、ワイヤレス端末３０は、リンク報告メッセージＭＲＭ２をネットワーク２２Ａ内の無線リソース制御機能３４Ａに送信する。リンク報告メッセージＭＲＭ２は、無線リンクを介してＧＳＭ  ＲＢＳ  ２８Ａに送信することが可能であり、次にこれがこのメッセージを、Ａｂｉｓインターフェースを横切って、無線リソース機能３４Ａが実装されたＧＳＭ  ＢＳＣ  ２６Ａに転送する。
【００５８】
他の動作では、ＢＳＣ  ２６Ａは、無線リソース制御ユニット３４Ａにアクセス可能なメモリ・ユニット（ＭＵ１）３６Ａ内に、リンク報告を記憶する。その後、無線リソース制御ユニット３４Ａは、ＧＳＭ  ＢＳＣ  ２６Ａ内に配置されたメモリ・ユニットＭＵ１  ３６Ａ内で使用可能なほぼすべての必要な情報を有する。
【００５９】
当業者であれば、上記で説明した好ましい例示的実施形態とは設計が異なるが、依然として本明細書で説明された動作を使用する、既存の代替実装が存在することを理解されたい。代替の一実施形態では、ネットワーク２２Ａ及び２２Ｂの役割は、無線リソース制御ユニットがネットワーク２２Ｂ内に常駐するように保存される。この修正では、ネットワーク２２Ａ及び２２Ｂの役割は保存され、リンク報告メッセージはネットワーク２２Ａ内で作成されて、その後ネットワーク２２Ｂへと送信するために移動局に送信される。他の代替実装では、リンク報告メッセージＭＲＭ１に含まれる情報は、第１のメッセージ内でワイヤレス端末からネットワーク２２Ａへと送信され、移動局メッセージは第２のメッセージ内でワイヤレス端末からネットワーク２２Ａへと送信される。さらに他の実装では、リンク報告メッセージＭＲＭ１及びＭＲＭ２のいずれかのコンテンツは、品質測定、ロード測定、或いは、ネットワーク２２Ｂ又はネットワーク２２Ａ内の無線リソース制御機能に関連することが可能な移動局のいずれかによって維持される、任意の他の情報の、他のセットを備える。
【００６０】
図４Ａは、マルチネットワーク・リレー／コミュニケータとして働く、ワイヤレス端末３０（Ａ）の例示的実施形態をより詳細に示す。ワイヤレス端末３０（Ａ）は、通信インターフェース４０及びリンク報告プロセッサ４２を備える。通信インターフェース４０は、ワイヤレス端末３０（Ａ）が、無線インターフェースを介して、第１の無線アクセス技術ネットワーク（たとえばネットワーク２２Ａ）及び第２の無線アクセス技術（たとえばネットワーク２２Ｂ）と通信可能となるように構成される。リンク報告プロセッサ４２は、第２の無線アクセス技術ネットワーク（たとえば２２Ｂ）から第２のネットワーク・リンク報告メッセージＭＲＭ１を受信するように、及び、第１の無線アクセス技術ネットワーク２２Ａのノード（たとえば基地局制御ノード２６Ａ）への送信のためにプロキシ・リンク報告メッセージＭＲＭ２を作成するように、構成される。
【００６１】
前述の内容から理解されるように、リンク報告メッセージＭＲＭ１は、ワイヤレス端末３０から第２の無線アクセス技術ネットワーク２２Ｂへの（たとえば基地局２８Ｂへの）アップリンク品質測定の指示を含む。ワイヤレス端末３０のリンク報告プロセッサ４２は、第１の無線アクセス技術ネットワーク２２Ａのノード（たとえば基地局制御ノード２６Ａ）への送信のために、品質決定ＭＲＭ１の指示をプロキシ・リンク報告ＭＲＭ２内に含めるように構成される。
【００６２】
いくつかのモード及び実施形態の例では、ワイヤレス端末は、本質的に、リンク報告メッセージ全体（ワイヤレス端末からのアップリンク送信に関する品質決定の指示を含む）をプロキシ・リンク報告メッセージＭＲＭ２内に含め、そのプロキシ・リンク報告メッセージＭＲＭ２を第１の無線アクセス技術ネットワークのノード（たとえば基地局制御ノード２６Ａ）に送信する。
【００６３】
他のモード及び実施形態の例では、ワイヤレス端末は、アップリンク送信に関して品質決定の指示を取得し、プロキシ・リンク報告メッセージＭＲＭ２を第１の無線アクセス技術ネットワークのノードに送信する前に、品質決定（ただし、必ずしもリンク報告メッセージ全体ではない）をプロキシ・リンク報告メッセージＭＲＭ２内に挿入するか、又は他の方法で含める。
【００６４】
図４で表されるさらに他のモード及び実施形態の例では、ワイヤレス端末は、アップリンク送信に関する品質決定の指示を取得し、品質決定の指示に関して処理又は動作（たとえばフィルタリング又は平均化）した後、処理又は導出された品質決定の指示を（品質決定の指示として）プロキシ・リンク報告メッセージ内に挿入するか又は他の方法で含める。
【００６５】
本明細書で説明されたモード及び実施形態の任意の例では、ワイヤレス端末は、アップリンク送信に関する品質決定の指示を取得した後、リンク報告メッセージで受信した情報（たとえば品質決定の指示）に関して処理又は動作し、その後、こうした情報に関する処理又は動作の結果又は出力を、「品質決定」としてプロキシ・リンク報告メッセージ内に含める。リンク報告メッセージ内で受信した情報に関する処理又は動作は、第２の無線アクセス技術ネットワーク（たとえばリンク報告メッセージＭＲＭ１内で受信した）及び第３の無線アクセス技術ネットワーク（たとえばリンク報告メッセージＭＲＭ３内で受信した）を含む、任意のネットワークからのリンク報告メッセージ内で受信した情報に関するか又はこれを含むことができる。こうした任意の情報に関する処理又は動作の結果又は出力は、依然として、品質が査定される特定リンクに関するアップリンク品質の品質決定の「指示」とみなされる。したがって、本明細書で説明されたに任意の実施形態又はモードを参照しながら、「指示」又は「品質指示」の使用は、リンク報告メッセージ内で受信されるような品質決定の指示に関する処理又は動作の出力又は結果とすることが可能であり、実際にはリンク報告メッセージに基づくものであることを理解されたい。
【００６６】
リンク報告メッセージ内で受信された情報上で、又はこの情報に関して実行される動作又は処理は、前述の実施形態又は本明細書に包含される他の実施形態のうちのいずれかのリンク報告プロセッサ４２によって実行可能である。図４Ｂに示された一実施例では、こうした動作又は処理はフィルタリング又は平均化を含むことができる。たとえば図４Ｂは、フィルタリング又は平均化された結果が、（実際にリンク報告メッセージ内に含められ、フィルタリング又は平均化された結果又は出力がそれに基づくものである、生データではなく）品質決定の指示として報告される、実行平均（running average）の維持などの単純なフィルタリングを実行するフィルタＦを示す。
【００６７】
実施形態例では、通信インターフェース４０は、たとえばＰＣＴ／ＳＥ２００７／０００３５８で開示されたような技法に従って、第１の無線アクセス技術ネットワーク２２Ａ及び第２の無線アクセス技術ネットワーク２２Ｂと、インタリーブされた通信を実行するように構成される。非限定的な実施例では、第１の無線アクセス技術ネットワーク２２Ａ及び第２の無線アクセス技術ネットワーク２２Ｂは、それぞれＧＳＭネットワーク及びロング・ターム・エボリューション（ＬＴＥ）ネットワークを含む。
【００６８】
図４Ａの実施形態例では、ワイヤレス端末３０はワイヤレス端末測定ユニット４４をさらに備える。ワイヤレス端末測定ユニット４４は、第１の無線アクセス技術ネットワーク２２Ａに関するダウンリンク品質測定、及び第２の無線アクセス技術ネットワーク２２Ｂに関するダウンリンク品質測定を実行するように構成される。リンク報告プロセッサ４２及び通信インターフェース４０は、ダウンリンク品質測定のうちの少なくとも１つの指示を、第１の無線アクセス技術ネットワークのノードへ（たとえばネットワーク２２Ａの基地局制御ノード２６Ａへ）と送信するように構成される。
【００６９】
実施形態例では、リンク報告プロセッサ４２は、ダウンリンク品質測定のうちの少なくとも１つの指示を、第１の無線アクセス技術ネットワーク２２Ａのノード２６Ａに送信されるプロキシ・リンク報告メッセージＭＲＭ２内に含めるように構成される。他の実施形態例では、リンク報告プロセッサ４２は、ダウンリンク品質測定のうちの少なくとも１つの指示を、プロキシ・リンク報告メッセージＭＲＭ２とは別に、第１の無線アクセス技術ネットワーク２２Ａのノード２６Ａに送信される、ワイヤレス端末分離リンク報告メッセージＭＲＭ３内に含めるように構成される。
【００７０】
図３を参照しながら理解されるような実施形態例では、さらに測定ユニット４４は、第３の無線アクセス技術ネットワーク２２Ｃのセルの信号品質を測定するように構成される。リンク報告プロセッサ４２及び通信インターフェース４０は、第３の無線アクセス技術ネットワーク２２Ｃのセルの信号品質の指示を、第１の無線アクセス技術ネットワーク２２Ａのノード２６Ａに送信するように構成される。実施例では、リンク報告プロセッサ４２は、第３の無線アクセス技術ネットワーク２２Ｃのセルの信号品質の指示をプロキシ・リンク報告メッセージＭＲＭ２内に含めるように構成される。
【００７１】
図５は、ワイヤレス端末３０（５）などの、ワイヤレス端末の例をより詳細に示す。すでに考察されたワイヤレス端末の要素及び機能に加えて、ワイヤレス端末３０（５）は、複数のネットワーク、たとえばネットワーク２２Ａ及びネットワーク２２Ｂとの間のインタリーブ又は多重化された伝送をスケジューリングする、マルチ無線アクセス技術／ネットワーク・スケジューラ５０を備える。さらに図５は、リンク報告プロセッサ４２が、ある実施形態例で、分析ユニット５２及び報告作成ユニット５４を備えることが可能であることを示す。分析ユニット５２は、基地局２８Ｂから受信したリンク報告メッセージＭＲＭ１を分析する働きをする。報告作成ユニット５４は、基地局制御ノード２６Ａに送信されるリンク報告メッセージＭＲＭ２（及びオプションで、ワイヤレス端末分離リンク報告メッセージＭＲＭ３）を作成する働きをする。
【００７２】
図５並びに他の図において、破線６０は、線６０内に示された機能及びユニットが実施形態例内で実現される際に使用可能なプラットフォームを示す。「プラットフォーム」という用語は、ワイヤレス端末３０の機能ユニットがマシンによってどのように実装又は実現できるかを示す方法である。プラットフォームの一例は、リンク報告プロセッサ４２及びワイヤレス端末測定ユニット４４を含む、線６０によって囲まれた要素のうちの１つ又は複数が、本明細書で説明される様々な動作を実行するためにメモリに記憶された符号化命令（たとえば持続的（non-transitory）信号）を実行する、１つ又は複数のプロセッサによって実現される、コンピュータ実装である。こうしたコンピュータ実装では、ワイヤレス端末３０は、プロセッサに加えて、メモリ・セクション６２（ランダム・アクセス・メモリ６４、読取り専用メモ６６、アプリケーション・メモリ６８（たとえば、本明細書で説明された動作を実行するためにプロセッサによって実行可能な符号化命令を記憶する）、及び、たとえばキャッシュ・メモリなどの任意の他のメモリを備えることができる）を備えることができる。
【００７３】
具体的に示されているか否かにかかわらず、通常、本明細書で考察されるそれぞれの実施形態のワイヤレス端末３０は、ある種の入力／出力ユニット又は機能も備えることが可能であり、ワイヤレス端末３０向けの代表的な入力／出力ユニットは、キーパッド７０、音声入力デバイス（たとえばマイクロフォン）７２、視覚入力デバイス（たとえばカメラ）７４、視覚出力デバイス（たとえばディスプレイ）７６、及び音声出力デバイス（たとえばスピーカ）７８として、図５に示されている。他のタイプの入力／出力デバイスを、ワイヤレス端末３０に接続するか、又はこれを備えることも可能である。
【００７４】
図５及び他の図の例では、線６０によって示されるプラットフォームは、コンピュータ実装又はコンピュータ・ベースのプラットフォームとして示されている。ワイヤレス端末３０向けの他の例示的プラットフォームは、本明細書で説明された様々な動作を実行するように回路要素が構成及び動作される、たとえば特定用途向け集積回路（ＡＳＩＣ）などの、ハードウェア回路のそれとすることができる。
【００７５】
図６は、ネットワーク２２Ａの管理及び伝送を処理するように構成された第１のコントローラ８０Ａと、ネットワーク２２Ｂの管理及び伝送を処理するように構成された第２のコントローラ８０Ｂとを備えることができる。第１のコントローラ８０Ａ及び第２のコントローラ８０Ｂは、同じプロセッサ又はコントローラ（又はプロセッサ・システム）によって実現又は実装可能であり、こうしたケースでは、持続的な実行可能信号の別々のセット（たとえば、有形媒体上に記憶されたプログラム又はルーチン）を構築することができる。具体的に言えば、図６は、リンク報告プロセッサ４２及びワイヤレス端末測定ユニット４４などの、前述のユニットのうちの様々が、それぞれネットワーク２２Ａ及び２２Ｂに関連付けられたそれらの別々のサブセクション（たとえばリンク報告プロセッサ４２Ａ及びリンク報告プロセッサ４２Ｂ）を有することが可能な方法を示す。
【００７６】
本明細書で使用される「ワイヤレス端末」又は「ＵＥ」は、携帯電話（「セルラー式」電話）及びワイヤレス機能を備えたラップトップ（たとえば携帯端末）などであるが、これらに限定されない、移動局又はユーザ機器ユニット（ＵＥ）とすることが可能であるため、たとえば、無線アクセス・ネットワークと音声及び／又はデータを通信する、ポータブル、ポケット、ハンドヘルド、コンピュータ内蔵型、又は車載型の、移動デバイスとすることができる。
【００７７】
図７は、無線基地局ノード２８の実施形態例をより単純に示している。図７の基地局２８は、任意の好適な無線アクセス技術ネットワーク向けの代表的な基地局ノードであるものと意図され、ワイヤレス端末３０への伝送のためにリンク報告メッセージＭＲＭ１を作成するように構成される。このため、無線基地局ノード２８は、通信インターフェース１００、基地局測定ユニット１０４、及び基地局リンク報告プロセッサ１０６を備える。通信インターフェース１００は、ワイヤレス端末３０に関する無線又はエア・インターフェースを介して、アップリンク及びダウンリンクの伝送を処理するように構成される。基地局測定ユニット１０４は、ワイヤレス端末３０からのアップリンク送信に関して品質測定を実行するように構成される。基地局リンク報告プロセッサ１０６は、品質測定の指示を、ワイヤレス端末３０へのダウンリンク・メッセージ（たとえばＭＲＭ１（たとえばリンク報告メッセージＭＲＭ１））内に含めるように構成される。
【００７８】
図８は、無線基地局ノード２８の実施形態例を、やや詳細に示している。通信インターフェース１００、基地局測定ユニット１０４、及び基地局リンク報告プロセッサ１０６に加えて、図８の基地局は、インターフェース１０８（コア・ネットワークへのインターフェース）、スケジューラ１１０、及びメモリ１１２（アプリケーション・メモリ１１８を含む）をさらに備える。図８は、分析ユニット１２０及び報告作成ユニット１２２を備えるような基地局測定ユニット１０４も示している。
【００７９】
本明細書の他の場所に示されているのと同様に、実施形態例では、基地局２８は破線１２４で単純に示されたプラットフォームを備える。基地局測定ユニット１０４及び基地局リンク報告プロセッサ１０６を含む、プラットフォーム線１２４内に示されたユニット及び機能は、この例では、コンピュータ実装及び／又は少なくとも部分的にハードウェア実装（たとえば回路又はＡＳＩＣなど）によるなどの、マシン実装によって実現される実施形態である。本明細書における、コンピュータ及び／又はプロセッサ及び／又はコントローラ実装に関するコメントは、ワイヤレス端末３０について前述したような多数の入力及び出力ユニットも有することが可能な、基地局２８にも適用される。
【００８０】
図９は、本明細書では無線アクセス・ネットワーク・ハンドオーバ制御ノードとしても知られる、基地局制御ノード２６の実施形態例を示している。図９に示されるように、無線アクセス・ネットワーク・ハンドオーバ制御ノード２６は、制御ノード・リンク報告プロセッサ１３０及びハンドオーバ・ユニット１３２を備える。制御ノード・リンク報告プロセッサ１３０は、（基地局制御ノード２６が属するホーム・ネットワークからの）ホーム・ネットワーク品質リンク報告及び（基地局制御ノード２６が属していない外部ネットワークに関する）外部ネットワーク品質リンク報告を、受信するように構成される。ハンドオーバ・ユニット１３２は、外部ネットワークへの無線アクセス技術ハンドオーバを実行するかどうかを決定するために、ホーム・ネットワーク品質リンク報告及び外部ネットワーク品質リンク報告の両方を使用するように構成される。ホーム・ネットワーク品質リンク報告は、ワイヤレス端末３０とホーム・ネットワークのノード（たとえば、基地局制御ノード２６Ａに関する基地局制御ノード２８Ａ）との間の伝送に関する品質測定の指示を含む。外部ネットワーク品質リンク報告は、ホーム・ネットワークを介してワイヤレス端末３０から受信されたプロキシ・リンク報告メッセージ（たとえばプロキシ・リンク報告メッセージＭＲＭ２）内に含められる。外部ネットワーク品質リンク報告は、たとえば、ワイヤレス端末３０から外部ネットワークのノード（たとえば、図２のネットワーク２２Ｂの基地局２８Ｂなど）へのアップリンク送信に関する品質測定の指示などの、ハンドオーバに密接に結び付いた情報を含む。
【００８１】
図１０は、より特定な実装における基地局制御ノード２６の実施形態例を示している。制御ノード・リンク報告プロセッサ１３０及びハンドオーバ・ユニット１３２に加えて、図１０は、ホーム・ネットワーク基地局（基地局制御ノードが基地局制御ノード２６Ａである場合の基地局２８Ａなど）へのインターフェース１３４と、好適なコア・ネットワークへのインターフェース１３６と、リソース割振り及びトラフィック処理ユニット１３８と、メモリ１４２（アプリケーション・メモリ１４８を含む）とを、備えるものとして、基地局制御ノード２６を示している。
【００８２】
本明細書の他の場所に示されているのと同様に、実施形態例では、基地局制御ノード２６は破線１５０で単純に示されたプラットフォームを備える。ハンドオーバ・ユニット１３２及びハンドオーバ・ユニット１３４を含む、プラットフォーム線１５０内に示されたユニット及び機能は、この例では、コンピュータ実装及び／又は少なくとも部分的にハードウェア実装（たとえば回路又はＡＳＩＣなど）によるなどの、マシン実装によって実現される実施形態である。本明細書における、コンピュータ及び／又はプロセッサ及び／又はコントローラ実装に関するコメントは、ワイヤレス端末３０について前述したような多数の入力及び出力ユニットも有することが可能な、基地局制御ノード２６にも適用される。
【００８３】
図１１は、少なくとも第１の無線アクセス技術ネットワーク（たとえばネットワーク２２Ａ）及び第２の無線アクセス技術（たとえばネットワーク２２Ｂ）と無線インターフェースを介して通信可能な、ワイヤレス端末（図２のワイヤレス端末３０など）を動作する基本方法を含む、代表的な動作又はステップの例を示している。動作１１−１は、ワイヤレス端末が、第２の無線アクセス技術ネットワークからリンク報告メッセージ（たとえばリンク報告メッセージＭＲＭ１）を受信することを含む。リンク報告メッセージＭＲＭ１は、たとえば、ワイヤレス端末から第２の無線アクセス技術ネットワークへのアップリンク品質の指示（たとえばアップリンク品質測定）などの、第２のネットワークによって査定されたハンドオーバと密接に結び付いたリンク情報を含む。ワイヤレス端末から第２の無線アクセス技術ネットワークへのアップリンク品質測定は、基地局測定ユニット１０４、及び、基地局リンク報告プロセッサ１０６によって作成されたリンク報告メッセージによって、実行可能である（図８を参照のこと）。ワイヤレス端末方法の動作１１−２は、ワイヤレス端末が、アップリンク品質の指示をプロキシ・リンク報告メッセージ（たとえばプロキシ・リンク報告メッセージＭＲＭ２）内に含めること、及び、そのプロキシ・リンク報告メッセージを第１の無線アクセス技術ネットワークのノードに（たとえば図２の実施形態例ではネットワーク２２Ａの基地局制御ノード２６Ａに）送信することを、さらに含む。
【００８４】
図１１Ａは、図１１と同様のモード及び実施形態例を示すが、動作１１Ａ−２のように、ワイヤレス端末は、本質的にリンク報告メッセージ全体（ワイヤレス端末からのアップリンク送信に関する品質決定の指示を含む）をプロキシ・リンク報告メッセージＭＲＭ２内に含め、そのプロキシ・リンク報告メッセージＭＲＭ２を、第１の無線アクセス技術ネットワークのノード（たとえば基地局制御ノード２６Ａ）に送信する。
【００８５】
図１１Ｂも、図１１と同様の他のモード及び実施形態例を示すが、図２４を参照しながらさらに説明する。図１１Ｂのモード及び実施形態では、動作１１−１のように、ワイヤレス端末は、（たとえばリンク報告メッセージ内の）アップリンク送信に関する品質決定の指示を受信又は取得する。動作１１Ｂ−１のように、ワイヤレス端末は、「品質決定の指示」ともみなされる、処理又は動作の対象となる出力又は結果を取得するために、品質決定の指示（リンク報告メッセージ内で受信される）に対して処理又は動作（フィルタリング又は平均化）を行う。動作１１Ｂ−２のように、ワイヤレス端末は、処理又は導出された品質決定の指示を、（品質決定の指示として）プロキシ・リンク報告メッセージ内に挿入するか、又は他の方法で含める。
【００８６】
図１２は図１１に類似しているが、モード及び実施形態の例では、動作１１−３のように、ワイヤレス端末方法は、ワイヤレス端末が、第１の無線アクセス技術ネットワーク及び第２の無線アクセス技術ネットワークとのインタリーブ又は多重化された通信を実行することを含むという事実を、さらに示している。実施例では、第１の無線アクセス技術ネットワーク及び第２の無線アクセス技術ネットワークは、ＧＳＭネットワーク及びロング・ターム・エボリューション（ＬＴＥ）ネットワークを含む。インタリーブ又は多重化された通信は、たとえば、参照により本明細書に組み込まれた、ＰＣＴ／ＳＥ２００７／０００３５８に記載された技法に従うものとすることができる。
【００８７】
図１３は、モード及び実施形態の他の例において、図１１の動作が、ワイヤレス端末３０によって実行される１つ又は複数のダウンリンク品質決定によって増補可能であることを示している。図１３の動作１３−０は、第１の無線アクセス技術ネットワーク（たとえば図２のネットワーク２２Ａ）に関するダウンリンク品質決定（たとえば測定）と、第２の無線アクセス技術ネットワーク（たとえば図２のネットワーク２２Ｂ）に関するダウンリンク品質決定とを実行する、ワイヤレス端末３０を含む。たとえば図４Ａの実施形態例では、ダウンリンク品質決定はワイヤレス端末測定ユニット４４によって実行可能である。さらに動作１３−１として、ワイヤレス端末は、ダウンリンク品質決定のうちの少なくとも１つの指示を、第１の無線アクセス技術ネットワークのノードに（たとえば図２の基地局制御ノード２６Ａに）送信する。図１３に示された特定の実施形態及びモードでは、ダウンリンク品質決定のうちの少なくとも１つの指示は、第１の無線アクセス技術ネットワークのノードに送信されるプロキシ・リンク報告メッセージ（たとえばプロキシ・リンク報告メッセージＭＲＭ２）内に含められる。図１４に示された実施形態及びモードの他の例では、動作１４−０として、ワイヤレス端末は、ダウンリンク品質決定のうちの少なくとも１つの指示を、プロキシ・リンク報告メッセージとは別に第１の無線アクセス技術ネットワークのノードに送信される、ワイヤレス端末分離リンク報告メッセージ（たとえばワイヤレス端末分離リンク報告メッセージＭＲＭＳ）内に含める。図１４のモードでは、ワイヤレス端末分離リンク報告メッセージＭＲＭＳはプロキシ・リンク報告メッセージＭＲＭ２に先行するが、図１５に示されるように、ワイヤレス端末分離リンク報告メッセージＭＲＭＳは（動作１５−２のように）、プロキシ・リンク報告メッセージＭＲＭ２（動作１５−１）に後続する（時間的に後に生じる）ことが可能である。
【００８８】
図１６は、図１３の方法が、ワイヤレス端末３０がさらに他のネットワーク（たとえば図３のネットワーク２２Ｃ）の品質に関する決定を実行又は取得することによって増補されることを示している。動作１６−０は、第３の無線アクセス技術ネットワーク２２Ｃ（図１６には、ネットワーク２２Ａ及びネットワーク２２Ｂに関するダウンリンク決定に加えられるように示されている）のセルの信号品質の決定を実行（たとえば測定）するか、又は取得する、ワイヤレス端末を含む。他の動作として、ワイヤレス端末は、第３の無線アクセス技術ネットワークのセルの信号品質の指示を、第１の無線アクセス技術ネットワークのノードに送信する（動作１６−１）。
【００８９】
図１６に示された特定の実施形態及びモードでは、動作１６−１として、第３の無線アクセス技術ネットワークのセルの信号品質の指示は、第１の無線アクセス技術ネットワークのノードに送信されるプロキシ・リンク報告メッセージ（たとえばプロキシ・リンク報告メッセージＭＲＭ２）内にも含められる。図１７に示された実施形態及びモードの他の例では、動作１７−０として、ワイヤレス端末は、第３の無線アクセス技術ネットワークのセルの信号品質の指示を、プロキシ・リンク報告メッセージとは別に第１の無線アクセス技術ネットワークのノードに送信される、ワイヤレス端末分離リンク報告メッセージ（ＭＲＭＳ）内に含める。図１７のモードでは、動作のワイヤレス端末分離リンク報告メッセージは、プロキシ・リンク報告メッセージＭＲＭ２に先行する（動作１７−１）が、図１８に示されるように、ワイヤレス端末分離リンク報告メッセージＭＲＭＳは、（動作１８−２のように）、プロキシ・リンク報告メッセージＭＲＭ２（動作１８−１）に後続する（時間的に後に生じる）ことが可能である。
【００９０】
図１９は、図２の通信システム２０などの通信システムを動作する基本方法を含む、代表的動作又はステップの例を示す。動作１９−１は、第２の無線アクセス技術ネットワーク（たとえば図２の基地局２８Ｂ）の基地局ノードが、ワイヤレス端末（たとえばワイヤレス端末３０）からのアップリンク送信に関する品質決定を実行することを含む。動作１９−２は、第２の無線アクセス技術ネットワークの基地局ノードが、品質決定の指示を、ワイヤレス端末との間のダウンリンク上で送信されるリンク報告メッセージ（たとえばリンク報告メッセージＭＲＭ１）内に含めることを含む。動作１９−３は、ワイヤレス端末が、その後、品質決定の指示をプロキシ・リンク報告メッセージ（たとえばプロキシ・リンク報告メッセージＭＲＭ２）内に含めることを含む。動作１９−４は、ワイヤレス端末が、プロキシ・リンク報告メッセージを、第１の無線アクセス技術ネットワークのノードに（たとえば図２のネットワーク２２Ａの基地局制御ノード２６Ａに）送信することを含む。動作１９−５は、第１の無線アクセス技術ネットワークのノードが、無線アクセス技術ハンドオーバ手順を実行するかどうかを決定するために、ワイヤレス端末からのアップリンク送信に関する（プロキシ・リンク報告メッセージに含められるような）品質決定を使用することを含む。
【００９１】
動作１９−４は、ワイヤレス端末が、第１の無線アクセス技術ネットワークのノードへのホーム・ネットワーク品質リンク報告として、ワイヤレス端末と第１の無線アクセス技術ネットワークとの間の伝送に関する品質決定の指示も提供することを含む。
【００９２】
図２０に示された実施形態及びモードの例では、動作１９−１及び１９−２に加えて、動作２０−１のように、ワイヤレス端末は、ワイヤレス端末と第１の無線アクセス技術ネットワークとの間の伝送に関する品質決定（たとえば測定）を実行する。動作２０−２のように、ワイヤレス端末は、ワイヤレス端末と第１の無線アクセス技術ネットワークとの間の伝送に関するこの品質決定の指示を、プロキシ・リンク報告メッセージ内にも含める。動作２０−３のように、第１の無線アクセス技術ネットワークの制御ノードは、無線アクセス技術ハンドオーバ手順を実行するかどうかを決定するために、（動作１９−５で使用された指示に加えて）ワイヤレス端末と第１の無線アクセス技術ネットワークとの間の信号品質の指示も使用する。
【００９３】
図２１に示される実施形態及びモードのさらに他の例では、動作１９−１及び１９−２に加えて、動作２１−１のように、ワイヤレス端末は、ダウンリンク品質決定のうちの少なくとも１つの指示を、プロキシ・リンク報告メッセージとは別に第１の無線アクセス技術ネットワークのノードに送信されるワイヤレス端末分離リンク報告メッセージ内に含める。前述の考察及び図面から理解されるように、プロキシ・リンク報告メッセージは、分離リンク報告メッセージに先行するか又は後続することが可能である。さらに、ワイヤレス端末３０によって実行されるダウンリンク（ＤＬ）決定は、第２のネットワーク測定報告メッセージＭＲＭ１の前又は後に実行することが可能である。
【００９４】
図２２に示される実施形態及びモードの例では、動作１９−１及び１９−２に加えて、動作２２−１のように、方法は、ワイヤレス端末が、第３の無線アクセス技術ネットワーク２２Ｃ（図２２には、ネットワーク２２Ａ及びネットワーク２２Ｂに関するダウンリンク決定に加えられるように示されている）のセルの信号品質を決定（たとえば測定）又は取得することをさらに含む。他の動作２２−２として、ワイヤレス端末は、第３の無線アクセス技術ネットワークの（たとえば第３の無線アクセス技術ネットワークのセルの）信号品質の指示を、第１の無線アクセス技術ネットワークのノードに送信する。動作２２−３として、第１の無線アクセス技術ネットワークのノードは、無線アクセス技術ハンドオーバ手順を実行するかどうかを決定するために、第３の無線アクセス技術ネットワークの信号品質の指示も使用する。動作２２−３の決定は、動作１９−５及び動作２０−３のような他の指示を使用することが可能である。
【００９５】
図２２に示される特定の実施形態及びモードでは、動作２２−２のように、第３の無線アクセス技術ネットワークの信号品質の指示は、第１の無線アクセス技術ネットワークのノードに送信されるプロキシ・リンク報告メッセージ（たとえばプロキシ・リンク報告メッセージＭＲＭ２）にも含められる。図２３に示される実施形態及びモードの他の例では、動作２３−３として、ワイヤレス端末は、第３の無線アクセス技術ネットワークのセルの信号品質の指示を、動作２３−２のプロキシ・リンク報告メッセージとは別に第１の無線アクセス技術ネットワークのノードに送信されるワイヤレス端末分離リンク報告メッセージ内に含める。図２３のモードでは、動作２３−３のワイヤレス端末分離リンク報告メッセージは、プロキシ・リンク報告メッセージＭＲＭ２（動作２３−２）の後に続いているが、ワイヤレス端末分離リンク報告メッセージが、動作２３−２のプロキシ・リンク報告メッセージＭＲＭ２に先行できる（時間的に前である）ことも理解されたい。動作２３−４として、第１の無線アクセス技術ネットワークのノードは、無線アクセス技術ハンドオーバ手順を実行するかどうかを決定するために、第３の無線アクセス技術ネットワークの信号品質の指示も使用する。動作２３−４の決定は、動作１９−５及び２０−３のような他の指示を使用することが可能である。
【００９６】
当業者であれば、本明細書では３ＧＰＰ無線技術であるＧＳＡ、ＷＣＤＭＡ、及びＬＴＥとの関連において説明されているが、本明細書で開示された技術は、IEEE802.11技術（ＷｉＦｉ）、IEEE802.16システム（ＷｉＭＡＸ）、３ＧＰＰ”に記載されたｃｄｍａシステム、又は、セルラー構造及びハンドオフ技術を使用する任意の他の無線技術を含む、無線技術の任意の他の組み合わせでも等しく適切に使用可能であることも理解されたい。
【００９７】
本明細書で開示された技術の利点は、多数の無線ネットワーク内を動き回る移動局に関する、より良い品質の音声及びデータ・サービスである。特に、本明細書で開示された技術は、移動局がサービス・セル内で無線品質不良の領域に入った場合、より良いセルへのハンドオフをより正確に決定することになる。ＧＳＭ、ＷＣＤＭＡ、及びＬＴＥが組み合わせられた好ましい実施形態例では、本明細書で開示された技術は、ＬＴＥデータ・サービスのためのアップリンク品質測定を、組み合わせられたＧＳＭ／ＬＴＥネットワークからＷＣＤＭＡネットワークへとハンドオフする場合の評価アルゴリズムに含めることになる。
【００９８】
本明細書で開示された技術の他の利点は、組み合わせられたＧＳＭ／ＷＣＤＭＡ／ＬＴＥシステムにおいてドロップされる音声呼び出しの数を低減することである。
【００９９】
さらに他の利点は、マルチ技術無線ネットワークにおけるより良好な移動データ・サービスである。
【０１００】
本明細書で開示された技術の追加の一利点は、異なる無線技術ネットワーク間での不必要なハンドオフの回数を低減することである。
【０１０１】
前述の機能、イベント、ステップ、又は動作は、コンピュータ実装とするか、或いは、本明細書で広義に定義されたプロセッサ又はコントローラによって実行することが可能な、前述のユニットを含むユニットによって実装可能である。
【０１０２】
前述の説明は多くの特定性を含んでいるが、これらは、本発明の範囲を限定するものではなく、本発明の現時点で好ましいいくつかの実施形態を単に例示するものであると解釈されたい。したがって、本発明の範囲は、当業者には明白となるであろう他の実施形態を完全に包含すること、したがって本発明の範囲が過度に限定されないことを理解されよう。単数形の要素についての言及は、特に明示的に示されていない限り「唯一」を意味するものではなく、むしろ「１つ又は複数」を意味するものと意図される。当業者に知られている前述の好ましい実施形態の要素に対するすべての構造的、化学的、及び機能的な等価物は、本明細書によって明確に組み込まれ、包含されるものと意図される。さらに、デバイス又は方法は、必ずしも、本発明によって解決されるものとみられるそれぞれ及びあらゆる問題に対処するもの、本明細書によって包含されるものではない。
【図１】
2013514701.tif 000003
【図２】
2013514701.tif 000004
【図３】
2013514701.tif 000005
【図４Ａ】
2013514701.tif 000006
【図４Ｂ】
2013514701.tif 000007
【図５】
2013514701.tif 000008
【図６】
2013514701.tif 000009
【図７】
2013514701.tif 000010
【図８】
2013514701.tif 000011
【図９】
2013514701.tif 000012
【図１０】
2013514701.tif 000013
【図１１】
2013514701.tif 000014
【図１１Ａ】
2013514701.tif 000015
【図１１Ｂ】
2013514701.tif 000016
【図１２】
2013514701.tif 000017
【図１３】
2013514701.tif 000018
【図１４】
2013514701.tif 000019
【図１５】
2013514701.tif 000020
【図１６】
2013514701.tif 000021
【図１７】
2013514701.tif 000022
【図１８】
2013514701.tif 000023
【図１９】
2013514701.tif 000024
【図２０】
2013514701.tif 000025
【図２１】
2013514701.tif 000026
【図２２】
2013514701.tif 000027
【図２３】
2013514701.tif 000028
【国際調査報告】
2013514701.tif 000029
2013514701.tif 000030